(57)【要約】【課題】  小さな作業スペースでも防火材の取付施工を施工性良く行うことができると共に防火材の耐火性能を充分に発揮できる天井裏への防火材の取付構造を提供する。【解決手段】  上階の床パネル１の床枠材２の上面に載設した床板材３の下面と、下階の天井板４を支持する野縁５との上下に略対向する位置に、両片９ａ，９ｂに複数の貫通孔１０を穿設した金属製のＬ型枠材９をそれぞれ配置する。各Ｌ型枠材９の一方の片９ａを床板材３の下面や野縁５に当接する。当接した片９ａの貫通孔１０に挿通した固着具１１で床板材３の下面や野縁５に各Ｌ型枠材９をそれぞれ固定する。床板材３の下面と天井板４の上面との間に亘るようにロックウールで構成した帯状の防火材７を配置する。各Ｌ型枠材９の固着具１１が挿通されない貫通孔１０に頭部１２ｂ付きのピン１２を挿通する。ピン１２を防火材７に突き刺して防火材７の上部及び下部を各Ｌ型枠材９に取り付ける。【選択図】図１
2008031736.tif 000002
【特許請求の範囲】
【請求項１】
上階の床パネルの床枠材の上面に載設した床板材の下面と、下階の天井板を支持する野縁との上下に略対向する位置に、両片に複数の貫通孔を穿設した金属製のＬ型枠材をそれぞれ配置すると共に、各Ｌ型枠材の一方の片を床板材の下面や野縁に当接し、この当接した片の貫通孔に挿通した固着具で床板材の下面や野縁に各Ｌ型枠材をそれぞれ固定し、床板材の下面と天井板の上面との間に亘るようにロックウールで構成した帯状の防火材を配置すると共に、各Ｌ型枠材の固着具が挿通されない貫通孔に頭部付きのピンを挿通し、このピンを防火材に突き刺して防火材の上部及び下部を各Ｌ型枠材に取り付けて成ることを特徴とする天井裏への防火材の取付構造。
【請求項２】
防火材に突き刺したピンの先端が防火材を貫通し、この防火材を貫通したピンの先端に折返し部を形成し、この折返し部で防火材を押さえて成ることを特徴とする請求項１記載の天井裏への防火材の取付構造。
【発明の詳細な説明】
【技術分野】
【０００１】
本発明は、天井裏への防火材の取付構造に関するものである。
【背景技術】
【０００２】
従来から、上階の床パネル１と下階の天井板４との間の空間である天井裏８には、上下に渡すようにロックウール等で構成された帯状の防火材７を取付けて、この防火材７で天井裏８を区切るといった防火構造が施されている（たとえば特許文献１参照）。詳しくは、たとえば図１４のように、上階の床パネル１の床枠材２の上面に載設した床板材３の下面と、下階の天井板４を支持する野縁５との上下に略対向する位置に、角棒状の木桟材２０で構成した防火材取付桟をビス等の固着具１１を用いてそれぞれ固定し、床板材３の下面と天井板４の上面との間に亘るように防火材７を配置すると共に、この防火材７の上部及び下部をそれぞれ上記木桟材２０に当接してステープル２１を用いて固着することが行われている。
【０００３】
ここで、ステープル２１の打込みには比較的大型のステープル打込器を用いるのであるが、天井裏８は高所で比較的狭い空間であるためにそもそも施工作業の行いにくい空間であって、比較的大型のステープル打込器が施工者の視界を遮ることも相まって、ステープル２１の打込みによる防火材７の取付作業の施工性はきわめて悪いものであった。更に言うと、防火材７の取付位置としては平面視で居室の間仕切り壁のラインに沿うように設けることが一般的であり、この場合、床パネル１の周縁に設けられる床枠材２の近傍の床板材３の部位に固定した木桟材２０に防火材７を固着させるケースが多くなるのであり、上記のように床枠材２の近傍で防火材７を木桟材２０に固着する際には床枠材２が邪魔をして小さい作業スペースしかとれないこともあり、このような小さい作業スペースでは比較的大型のステープル打込器の取り扱いはきわめて困難になる。
【０００４】
また、防火材７の天井裏８への取付けに使用する木桟材２０は防火材７に比べて比較的簡単に焼け落ちてしまうものであって、木桟材２０が焼け落ちた場合には防火材７が所定位置から外れてしまって天井裏８の防火性能が無力化することとなるのであり、つまり防火材７の耐火性能を充分に発揮できるものではなかった。
【特許文献１】特開昭６０−４７１４４号公報
【発明の開示】
【発明が解決しようとする課題】
【０００５】
本発明は上記の従来の問題点に鑑みて為したものであって、小さな作業スペースでも防火材の取付施工を施工性良く行うことができると共に防火材の耐火性能を充分に発揮できる天井裏への防火材の取付構造を提供することを課題とするものである。
【課題を解決するための手段】
【０００６】
上記課題を解決するために本発明の請求項１に係る天井裏への防火材の取付構造は、上階の床パネル１の床枠材２の上面に載設した床板材３の下面と、下階の天井板４を支持する野縁５との上下に略対向する位置に、両片９ａ，９ｂに複数の貫通孔１０を穿設した金属製のＬ型枠材９をそれぞれ配置すると共に、各Ｌ型枠材９の一方の片９ａを床板材３の下面や野縁５に当接し、この当接した片９ａの貫通孔１０に挿通した固着具１１で床板材３の下面や野縁５に各Ｌ型枠材９をそれぞれ固定し、床板材３の下面と天井板４の上面との間に亘るようにロックウールで構成した帯状の防火材７を配置すると共に、各Ｌ型枠材９の固着具１１が挿通されない貫通孔１０に頭部１２ｂ付きのピン１２を挿通し、このピン１２を防火材７に突き刺して防火材７の上部及び下部を各Ｌ型枠材９に取り付けて成ることを特徴とする。これによると、ロックウールで構成した帯状の防火材７の天井裏８への取付けに使用するＬ型枠材９は金属製であるため、従来の木桟材２０のように簡単に焼け落ちることはなくて、防火材７の耐火性能を充分に発揮できる。ここで、金属製のＬ型枠材９は任意箇所に固着具１１やステープル２１を打ち込み可能な木桟材２０に比べて材質的に施工の自由度は小さくならざるを得ないが、このＬ型枠材９は両片９ａ，９ｂに複数の貫通孔１０を穿設してあり、つまりＬ型の向きにかかわらずいずれか一方の片９ａを床板材３の下面や野縁５に当接させてこの当接した片９ａの貫通孔１０に挿通した固着具１１で床板材３の下面や野縁５にそれぞれ固定できるから、比較的施工の自由度を確保してＬ型枠材９を天井裏８に取り付けることができる。また、各Ｌ型枠材９の固着具１１が挿通されない貫通孔１０に頭部１２ｂ付きのピン１２を挿通し、このピン１２を防火材７に突き刺して防火材７の上部及び下部を各Ｌ型枠材９に取り付けたので、従来のように大きな作業スペースが必要となるばかりか施工者の視界を遮ることになるステープル打込器を用いずに防火材７の取付施工が可能であり、つまり高所で且つ狭い空間である天井裏８でも防火材７の取付施工を施工性良く行うことができる。
【０００７】
また請求項２に係る天井裏への防火材の取付構造は、請求項１において、防火材７に突き刺したピン１２の先端が防火材７を貫通し、この防火材７を貫通したピン１２の先端に折返し部１４を形成し、この折返し部１４で防火材７を押さえて成ることを特徴とする。これによると、ピン１２を折り返すという簡単な施工作業で防火材７の取付強度を高めることができる。
【発明の効果】
【０００８】
本発明は、小さな作業スペースでも防火材の取付施工を施工性良く行うことができると共に、防火材の耐火性能を充分に発揮させ得る、という利点を有する。
【発明を実施するための最良の形態】
【０００９】
以下、本発明を添付図面に示す実施形態に基いて説明する。
【００１０】
本例の建物は、金属製の柱材や梁材６ａを組み付けた金属製の架構体６に床パネル１や外壁パネルや間仕切り壁パネルを取り付けて形成される住宅である。ここで、床パネル１は床枠材２の上面に床板材３を架け渡すように載設して形成されている。天井板４は上階の床パネル１の床枠材２や架構体６に吊り支持等して水平に架設された野縁５の下面に取付けられている。上階の床パネル１の床板材３と下階の天井板４との間に形成された空間である天井裏８には、上下に渡すように耐火性を有した帯状の防火材７を取付けて、この防火材７で天井裏８を区切るといった防火構造が採用される。たとえば図３の１階平面プランを有した建物では、平面視で天井裏８に複数の分割した空間をつくるように、１階の居室を区切る間仕切り壁のラインに沿わせるようにして防火材７が天井裏８に取付けられている。
【００１１】
防火材７はたとえば約２５ｍｍ厚の帯板状のロックウールで構成される。この防火材７は、上階の床パネル１の床板材３の下面と、下階の天井板４を支持する野縁５との上下に略対向する位置にそれぞれ取り付けた防火材取付桟に、上部及び下部を取り付けることで、天井裏８に上下に亙るように配設されて天井裏８を区切るようにしている。防火材取付桟としては、本例では図２のように、両片９ａ，９ｂに複数の貫通孔１０を穿設した金属製のＬ型枠材９が用いられている。このＬ型枠材９は長尺材であり、その長手方向の任意位置で金切り鋏によって容易に切断可能になっている。また、上記両片９ａ，９ｂの各貫通孔１０はＬ型枠材９の長手方向に所定間隔毎に穿設されている。なお、上記両片９ａ，９ｂの各貫通孔１０は本例ではＬ型枠材９の長手方向における略同位置にあるように穿設されているが、これに限らずＬ型枠材９の長手方向にずれた位置に穿設されていてもよい。この貫通孔１０は、Ｌ型枠材９を床板材３や野縁５に固定するためのビス等の固着具１１が挿通される孔として機能すると共に、防火材７に突き刺してＬ型枠材９に防火材７を固定するためのピン１２が挿通される孔としても機能する。ここで、ピン１２は図２のように軸部１２ａの基端部に平皿状の頭部１２ｂが一体に形成されていて、Ｌ型枠材９の貫通孔１０に軸部１２ａを挿通させたピン１２は頭部１２ｂの裏面が貫通孔１０の縁に当接するようになっている。
【００１２】
上述のように防火材７は、たとえば図４のように防火材７を上階の床パネル１の長手方向に沿って配設する場合や、図５のように防火材７を上階の床パネル１の短手方向に沿って配設する場合など、天井裏８の様々な場所に配設される。ここで、防火材７の天井裏８への取付施工としては、たとえば、上階の床パネル１の架構体６への固定施工をした後に床パネル１の床板材３の下面に防火材７の上部を取り付けるためのＬ型枠材９を固定し、その後、野縁５を配設して間仕切り壁パネルを野縁５に固定し、天井裏８に電気配線１５や給排水配管（図示せず）を敷設した後に野縁５に防火材７の下部を取り付けるためのＬ型枠材９を固定し、上下に対向する両Ｌ型枠材９に防火材７を渡すように固定することで行われる。なおその後、野縁５の下面に天井板４が固定される。
【００１３】
ここで、防火材７の上部を床パネル１の床板材３の下面に固定したＬ型枠材９に取り付けるには、まず図６のようにＬ型枠材９の一方の片９ａの外面（Ｌ字の外側を縁取る面）に両面テープ１３を貼付け、上記Ｌ型枠材９の一方の片９ａを床パネル１の床板材３の下面に両面テープ１３を介して当接してこの両面テープ１３でＬ型枠材９を床パネル１の床板材３の下面に仮固定し、次に図７のように上記Ｌ型枠材９の一方の片９ａの任意の貫通孔１０に下方からビス等の固着具１１を挿通して床板材３に打入することでＬ型枠材９を床パネル１の床板材３の下面に本固定する。なお両面テープ１３は現場でＬ型枠材９に貼着してもＬ型枠材９の製造工場であらかじめ貼着しておいてもよい。次に図８のようにピン１２の頭部１２ｂの裏面に接着剤を塗布し、このピン１２を床パネル１の床板材３の下面から垂下した状態にあるＬ型枠材９の他方の片９ｂの任意の貫通孔１０に挿通し、この貫通孔１０の縁に接着剤を介してピン１２の頭部１２ｂの裏面を当接してこの接着剤でピン１２をＬ型枠材９の他方の片９ｂに固着する。このＬ型枠材９の他方の片９ｂに固着したピン１２はその軸部１２ａがＬ型枠材９の他方の片９ｂから垂直に突出した状態となる。そして上記ピン１２を固着したＬ型枠材９の他方の片９ｂに防火材７を近接させ、ピン１２の軸部１２ａを防火材７にその厚み方向に突き刺して貫通させて防火材７をピン１２に仮固定する（図９）。次に図１０（ａ）のように上記防火材７を貫通したピン１２の軸部１２ａの先端にペンチ等の工具Ａを用いて折り曲げて折返し部１４を形成し、この折返し部１４で図１０（ｂ）のように防火材７を押さえるようにして防火材７をピン１２に本固定する。なお、防火材７をＬ型枠材９の他方の片９ｂに当接した状態で配置した後に上記Ｌ型枠材９の他方の片９ｂの貫通孔１０にピン１２を挿通して防火材７に突き刺すようにしてもよい。また、床板材３の下面へのＬ型枠材９の固定に際しては、床パネル１の撓み等による床鳴りを防止するべく、床枠材２から少なくとも１０ｍｍ程度離してＬ型枠材９を配設するのが好ましい。また図５のように床板材３に沿わせたＬ型枠材９が床枠材２で遮られることもあるが、この場合にはＬ型枠材９を金切り鋏で床枠材２間寸法の長さに切断して対処することができる。このようにして、防火材７の上部は図１のように床パネル１の床板材３の下面に固定したＬ型枠材９に取付けされるのである。
【００１４】
防火材７の下部の野縁５に固定したＬ型枠材９への取付施工も、上記防火材７の上部の床板材３の下面に固定したＬ型枠材９への取付施工に準ずる施工作業で行われる。ただし、野縁５へのＬ型枠材９の固定は、たとえば図４のようにＬ型枠材９をその長手方向が野縁５の長手方向に沿うように野縁５に固定する場合や、図５のようにＬ型枠材９をその長手方向が野縁５の長手方向に直交するように野縁５に固定する場合で異なっている。
【００１５】
詳しくは、前者の場合には、図１１のように、Ｌ型枠材９の一方の片９ａの任意の貫通孔１０にピン１２を挿通させておき、このＬ型枠材９の一方の片９ａを野縁５の側面に両面テープ１３を介して当接してこの一方の片９ａのピン１２が挿通されない任意の貫通孔１０にビス等の固着具１１を挿通して野縁５に打入することで、Ｌ型枠材９を野縁５の側面に沿わせた状態で固定する。そして、防火材７の下部を上記Ｌ型枠材９の一方の片９ａに近接させ、ピン１２の軸部１２ａを防火材７にその厚み方向に突き刺して貫通させ、防火材７を貫通したピン１２の先端に折返し部１４を形成してこの折返し部１４で防火材７を押さえることで、防火材７の下部が野縁５に固定したＬ型枠材９に取付けされる。なお、上記Ｌ型枠材９の略水平に配置される他方の片９ｂの内面（Ｌ字の内側を縁取る面）上に防火材７の下端を載置させるようにすると、防火材７の下端をＬ型枠材９で支持できて好ましい。
【００１６】
また、後者の場合には、図１２のように、Ｌ型枠材９の一方の片９ａを複数の野縁５に掛け渡すようにして野縁５の上面に載置し、このＬ型枠材９の一方の片９ａにおける野縁５と直交する位置にある貫通孔１０にビス等の固着具１１を挿通して野縁５に打入することで、Ｌ型枠材９を野縁５の上面に載設した状態で固定する。そして、野縁５の上面から略垂直に立設するＬ型枠材９の他方の片９ｂの任意の貫通孔１０にピン１２を挿通し、防火材７の下部を上記Ｌ型枠材９の他方の片９ｂに近接させ、ピン１２の軸部１２ａを防火材７にその厚み方向に突き刺して貫通させ、防火材７を貫通したピン１２の先端に折返し部１４を形成してこの折返し部１４で防火材７を押さえることで、防火材７の下部が野縁５に固定したＬ型枠材９に取付けされる。なお詳しくは、防火材７の下部はＬ型枠材９の他方の片９ｂの外面に当接させて固定し、防火材７の下端をそのまま垂下させて天井板４の上面にまで至らせるようにするのが好ましく、またこのとき防火材７の下端には野縁５を通すための切欠部１６を設けることが好ましい。
【００１７】
上述のようにして天井裏８に防火材７を取付けたことによると、ロックウールで構成した帯状の防火材７の天井裏８への取付けに使用する防火材取付桟は金属製のＬ型枠材９であるため、従来の木桟材２０で構成した防火材取付桟のように簡単に焼け落ちることはなくて、防火材７の耐火性能を充分に発揮できる利点を有している。
【００１８】
ここで、金属製のＬ型枠材９は任意箇所に固着具１１やステープル２１を打ち込み可能な木桟材２０に比べて材質的に施工の自由度は小さくならざるを得ないが、このＬ型枠材９は両片９ａ，９ｂに複数の貫通孔１０を穿設してあり、つまりＬ型の向きにかかわらずいずれか一方の片９ａを床板材３の下面や野縁５に当接させてこの当接した片９ａの貫通孔１０に挿通した固着具１１で床板材３の下面や野縁５にそれぞれ固定できるから、比較的施工の自由度を確保してＬ型枠材９を天井裏８に取り付けることが可能となっている。しかして、このＬ型枠材９は床板材３や野縁５に支障なく取り付けることができ、つまり床板材３や野縁５に固定する防火材取付桟に同一のＬ型枠材９を用いることができたために、この点でも天井裏８の防火材７の取付構造の簡略化が図られているのである。
【００１９】
また、各Ｌ型枠材９の固着具１１が挿通されない貫通孔１０に頭部１２ｂ付きのピン１２を挿通し、このピン１２を防火材７に突き刺して防火材７の上部及び下部を各Ｌ型枠材９に取り付けたので、従来のように大きな作業スペースが必要となるばかりか施工者の視界を遮ることになるステープル打込器を用いずに防火材７の取付施工が可能となっており、つまり高所で且つ狭い空間である天井裏８でも防火材７の取付施工を施工性良く行うことができたものである。更に、ピン１２を折り返すという簡単な施工作業によって防火材７の取付強度を高めることができたものであり、この点でも天井裏８への防火材７の取付施工の簡略化が図られているのである。
【００２０】
なお、防火材７には、天井裏８に敷設した電気配線１５や給排水管を挿通させるための切込み１７（図１３）や、床枠材２のフランジ部を挿通させるための切込み１８（図５）や、架構体６に設けた筋かい等の斜材６ｂを挿通させる切込み１９（図４，５）を適宜設けて、天井裏８を防火材７で完全に区分けするのが好ましい。
【図面の簡単な説明】
【００２１】
【図１】本発明の実施の形態の例の天井裏の概略の側断面図である。
【図２】同上のＬ型枠材やピンの斜視図である。
【図３】同上の建物の例の１Ｆ平面図である。
【図４】同上の天井裏の斜視図である。
【図５】同上の天井裏の他部位の斜視図である。
【図６】同上の防火材の取付け施工を説明する概略の側断面図である。
【図７】同上の防火材の取付け施工を説明する概略の側断面図である。
【図８】同上の防火材の取付け施工を説明する概略の側断面図である。
【図９】同上の防火材の取付け施工を説明する概略の側断面図である。
【図１０】同上の防火材の取付け施工を説明する説明図であって、（ａ）は折返し部の形成途中の概略の斜視図であり、（ｂ）は折返し部の形成後の概略の斜視図である。
【図１１】同上の防火材の下部のＬ型枠材への取付けの例を説明する一部透視斜視図である。
【図１２】同上の防火材の下部のＬ型枠材への取付けの他例を説明する一部透視斜視図である。
【図１３】同上の天井裏に取り付けた防火材の要部の斜視図である。
【図１４】従来技術の例の天井裏の概略の側断面図である。
【符号の説明】
【００２２】
１  床パネル
２  床枠材
３  床板材
４  天井板
５  野縁
６  架構体
７  防火材
８  天井裏
９  Ｌ型枠材
１０  貫通孔
１１  固着具
１２  ピン
１２ｂ  頭部
１４  折返し部
【図１】
2008031736.tif 000003
【図２】
2008031736.tif 000004
【図３】
2008031736.tif 000005
【図４】
2008031736.tif 000006
【図５】
2008031736.tif 000007
【図６】
2008031736.tif 000008
【図７】
2008031736.tif 000009
【図８】
2008031736.tif 000010
【図９】
2008031736.tif 000011
【図１０】
2008031736.tif 000012
【図１１】
2008031736.tif 000013
【図１２】
2008031736.tif 000014
【図１３】
2008031736.tif 000015
【図１４】
2008031736.tif 000016